【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
（ａ）白色無香；白色芳香；着色無香；着色芳香；浸染無香；又は浸染芳香であるロウソクのロウ、並びに
（ｂ）（ｉ）一般式（Ｉ−１００）：
【化１】
2004523638.tif 000001
で示される部分を含有するモルホリノン化合物、
一般式（Ｉ−２００）、（II−２００）又は（III−２００）：
【化２】
2004523638.tif 000002
で示される部分を含有するオキサゾリジン化合物、
一般式（Ｉ−３００）：
【化３】
2004523638.tif 000003
で示される部分を含有するイミダゾリジン化合物、
一般式（Ｉ−４００）：
【化４】
2004523638.tif 000004
で示される部分を含有するピペラジンジオン化合物、及び
式（Ｉ−５００）：
【化５】
2004523638.tif 000005
で示される部分を含有するピペラジノン化合物からなる群より選択される化合物と、
（ii）ＵＶ吸収剤若しくは酸化防止剤、又はＵＶ吸収剤及び酸化防止剤と、の組み合わせであり、
（ｉ）の（ii）に対する重量比が１０：１〜１：１０である組み合わせ、
を含む組成物。
【請求項２】
成分（ｂ）（ｉ）の化合物が、式（Ia−１００）又は（Ib−１００）：
【化６】
2004523638.tif 000006
（式中、
ｎ100は、１又は２であり；
Ｒ101は、水素、炭素原子１〜１８個のアルキル、炭素原子５〜１２個のシクロアルキル又は炭素原子５〜１２個のシクロアルケニルであり；
Ｒ102は、Ｒ101と同じ意味を有するか；あるいはＲ102は、炭素原子１〜８個のヒドロキシアルキルでもあるか；あるいはＲ101とＲ102は一緒になって、テトラメチレン、ペンタメチレン、又はメチルで置換されているペンタメチレンであり；
Ｒ103は、Ｒ101と同じ意味を有し；
Ｒ104は、Ｒ102と同じ意味を有するか；あるいはＲ103とＲ104は一緒になって、テトラメチレン、ペンタメチレン、又はメチルで置換されているペンタメチレンであり；
Ｒ105は、水素；炭素原子１〜１８個のアルキル；ヒドロキシ、フェニル、若しくはヒドロキシとフェニルの両方で置換されている炭素原子２〜１８個のアルキル；オキシル；ヒドロキシ；炭素原子２〜１２個のシアノアルキル；炭素原子２〜１２個のシアノアルコキシ；炭素原子１〜１８個のアルコキシ；炭素原子５〜１２個のシクロアルコキシ；炭素原子３〜８個のアルケニル；炭素原子３〜８個のアルケニルオキシ；炭素原子７〜１２個のフェニルアルキル；ヒドロキシ、炭素原子１〜４個のアルキル若しくは炭素原子１〜４個のアルコキシ、又は前記アルキルと前記アルコキシの両方で置換されている炭素原子７〜１２個のフェニルアルキル；炭素原子７〜１２個のフェニルアルコキシ；炭素原子２〜８個のアルカノイル；又は置換されている２，２，６，６−テトラアルキルピペリジニル部分であり；
ｎ100が１の場合、
Ｒ106は、非置換であるか又は１〜６個のヒドロキシ若しくは−ＯＲ1基で置換されている、炭素原子１〜２４個の直鎖状又は分岐鎖状アルキルであるか、あるいはＲ106は、フェニルであり；
ｎ100が２の場合、
Ｒ106は、炭素原子２〜１２個のアルキレン、ｏ−フェニレン、ｍ−フェニレン、ｐ−フェニレン又はｐ−キシリレンであり；そして
Ｒ107は、水素であるか又はＲ101の意味を有する）
で示されるモルホリノン化合物である、請求項１記載の組成物。
【請求項３】
成分（ｂ）（ｉ）の化合物が、式（Ia−２００）、（IIa−２００）又は（IIIa−２００）：
【化７】
2004523638.tif 000007
（式中、
Ｒ201、Ｒ202、Ｒ203及びＲ204は、独立して炭素原子１〜８個のアルキルであるか、あるいはＲ201とＲ202は一緒になって、又はＲ203とＲ204は一緒になって、テトラメチレン、ペンタメチレン、又はメチルで置換されているペンタメチレンであり；
Ｒ205は、水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか、あるいはＲ205は、−ＣＯ−ＣnＨ2n+1（ここで、ｎは１〜１７である）であり、そして
Ｒ206は、炭素原子１〜８個のアルキル、１若しくは２個のヒドロキシ基で置換されている前記アルキル又は炭素原子６〜１０個のアリールである）
で示されるオキサゾリジン化合物である、請求項１記載の組成物。
【請求項４】
成分（ｂ）（ｉ）の化合物が、式（Ia−３００）：
【化８】
2004523638.tif 000008
（式中、
Ｒ301及びＲ302は、独立して炭素原子１〜８個のアルキルであるか、あるいはＲ301とＲ302は一緒になって、テトラメチレン、ペンタメチレン、又はメチルで置換されているペンタメチレンであり、そして
Ｒ303及びＲ304は、独立して水素、オキシル、ヒドロキシ、炭素原子７〜１５個のアラルキル、炭素原子１〜２４個のアルコキシ、炭素原子１〜４２個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルである）
で示されるイミダゾリン化合物である、請求項１記載の組成物。
【請求項５】
成分（ｂ）（ｉ）の化合物が、式（Ia−４００）：
【化９】
2004523638.tif 000009
（式中、
ｐ400は、１又は２であり；
ｐ400が１の場合、
Ｇ400は、炭素原子１〜１８個のアルキルであるか、−ＮＨ2、−ＯＨ、ハロゲン、−ＯＲ6又は４−ヒドロキシ−３，５−ジ−tert−ブチルフェニル若しくは４−ヒドロキシ−３，５−ジメチルフェニル、又はこれらの基の混合物で置換されているか、−Ｏ−、−ＮＨ−若しくは−ＮＲ406−又は前記基の混合物で中断されている炭素原子２〜１８個のアルキルであるか；あるいはＧ400は、−ＣＯＯＲ407又はフェニルで置換されている炭素原子１〜１８個のアルキルであり；
ｐ400が２の場合、
Ｇ400は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ400は、フェニレン、Ｃ1〜Ｃ4アルキルフェニレン、−ＣＯＯ−、−ＣＯＮＨ−、下記式：
【化１０】
2004523638.tif 000010
で示される基、−ＮＨ−又は−ＮＲ406−であり；
Ｒ401、Ｒ402、Ｒ403及びＲ404は、独立して炭素原子１〜１２個のアルキル、１若しくは２個のヒドロキシ基で置換されている前記アルキルであるか、あるいはＲ401とＲ402は一緒になって、又はＲ403とＲ404は一緒になって、又はＲ401とＲ402が一緒になり、かつＲ403とＲ404が一緒になって、テトラメチレン、ペンタメチレン、又はメチルで置換されているペンタメチレンであり；
Ｒ405は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ405は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ400（ここで、Ｅ400は、水素、メチル又はフェニルである）であり；
Ｘ400は、−Ｏ−、−ＮＨ−又は−ＮＲ406−であり；
Ｚ400は、−ＮＨ2、−ＮＨＲ406、−Ｎ（Ｒ406）2又は炭素原子１〜１８個のアルコキシであり；
Ｒ406は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ406は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；そして
Ｒ407は、炭素原子１〜１８個のアルキルであるか、−ＮＨ2、−ＮＨＲ406、−Ｎ（Ｒ406）2、ニトロ、ヒドロキシ、炭素原子１〜１８個のアルコキシ又は前記基の混合物で置換されている炭素原子２〜１８個のアルキルであるか；あるいはＲ407は、炭素原子３〜１８個のアルケニル、炭素原子５〜１２個のシクロアルキル、又は炭素原子１〜４個のアルキルで置換されているか、若しくは−Ｏ−で中断されている前記シクロアルキルである）
で示されるピペラジンジオン化合物である、請求項１記載の組成物。
【請求項６】
成分（ｂ）（ｉ）の化合物が、式（II−５００）又は（III−５００）：
【化１１】
2004523638.tif 000011
（式中、
ｎ500は、１又は２であり；
ｐ500は、１〜１２であり；
ｎ500が１の場合、
Ｇ500は、炭素原子１〜１８個のアルキルであるか、−ＮＨ2、−ＮＨ（Ｒ506）、−ＯＨ、ハロゲン、−ＯＲ506又は４−ヒドロキシ−３，５−ジ−tert−ブチルフェニル若しくは４−ヒドロキシ−３，５−ジメチルフェニル、又はこれらの基の混合物で置換されている炭素原子２〜１８個のアルキルであるか；あるいはＧ500は、−Ｏ−、−ＣＯ−、−ＮＨ−若しくは−ＮＲ506−又は前記の基の混合物で中断されている炭素原子２〜１８個のアルキルであるか；あるいはＧ500は、−ＣＯＯＲ507又はフェニルで置換されている炭素原子１〜１８個のアルキルであり；
ｎ500が２の場合、
Ｇ500は、炭素原子２〜１０個のアルキレン、炭素原子４〜１２個のアルケニレン、１〜４個の−ＯＨで置換されている炭素原子３〜１５個のアルキレン、又は１〜４個の酸素原子で中断されている前記アルキレンであるか；あるいはＧ500は、フェニレン、Ｃ1〜Ｃ4アルキルフェニレン、−ＣＯ−（ＣＨ2）p500−ＣＯ−、−ＣＯＯ−、−ＣＯＮＨ−、下記式：
【化１２】
2004523638.tif 000012
で示される基、−ＮＨ−又は−ＮＲ506−であり；
Ｒ501、Ｒ502、Ｒ503及びＲ504は、独立して炭素原子１〜１２個のアルキル、１若しくは２個のヒドロキシ基で置換されている前記アルキルであるか、あるいはＲ501とＲ502は一緒になって、又はＲ503とＲ504は一緒になって、又はＲ501とＲ502が一緒になり、かつＲ503とＲ504が一緒になって、テトラメチレン、ペンタメチレン、又はメチルで置換されているペンタメチレンであり；
Ｒ505は、水素、オキシル、ヒドロキシ、シアノエチル、炭素原子７〜１５個のフェニルアルキル、炭素原子１〜４個のアルキル及び炭素原子１〜４個のアルコキシから選択される１〜３個の基でフェニル環が置換されている前記フェニルアルキル、炭素原子７〜１５個のフェニルアルコキシ、炭素原子１〜４個のアルキル及び炭素原子１〜４個のアルコキシから選択される１〜３個の基でフェニル環が置換されている前記フェニルアルコキシ、炭素原子５〜１２個のシクロアルコキシ、炭素原子３〜８個のアルケニル、炭素原子３〜８個のアルキニル、炭素原子１〜２４個のアルコキシ、炭素原子１〜２４個のアルキル、１若しくは２個のヒドロキシ基で置換されている前記アルキル、炭素原子２〜１８個のアルキルカルボニルオキシで置換されている前記アルキル、又は１〜２０個の酸素原子で中断され、かつヒドロキシ１個、炭素原子２〜１８個のアルキルカルボニルオキシ若しくは４−ヒドロキシ−３，５−ジ−tert−ブチルベンゾイルオキシで置換されている前記アルキルであるか；あるいはＲ505は、炭素原子１〜８個のアルカノイル、炭素原子３〜５個のアルケノイル、炭素原子１〜１８個のアルカノイルオキシ、グリシジル又は基−ＣＨ2ＣＨ（ＯＨ）−Ｅ500（ここで、Ｅ500は、水素、メチル又はフェニルである）であり；
Ｘ500は、−Ｏ−、−ＮＨ−又は−ＮＲ506−であり；
Ｚ500は、−ＮＨ2、−ＮＨＲ506、−Ｎ（Ｒ506）2又は炭素原子１〜１８個のアルコキシであり；
Ｒ506は、炭素原子１〜８個のアルキルであるか、炭素原子１〜８個のアルカノイル、炭素原子５〜１２個のシクロアルキル、非置換であるか又は炭素原子１〜４個のアルキル、炭素原子１〜４個のアルコキシ若しくは前記基の混合物でフェニル環が置換されている炭素原子７〜１５個のフェニルアルキルであるか；あるいはＲ506は、−ＯＨ、炭素原子１〜１２個のアルコキシ、ベンゾフェノニル若しくはベンゾフェノニルオキシ（ここで、ベンゾフェノン部分のフェニル環の１個又は両方が、非置換であるか又は−ＯＨ、ハロゲン、炭素原子１〜４個のアルキル、炭素原子１〜４個のアルコキシ若しくはそのような基の混合物で置換されている）で置換されている、炭素原子１〜８個のアルキル又は炭素原子１〜８個のアルカノイルであり；
Ｒ507は、水素、炭素原子１〜１８個のアルキルであるか、−ＮＨ2、−ＮＨＲ506、−Ｎ（Ｒ506）2、ニトロ、ヒドロキシ、炭素原子１〜１８個のアルコキシ又は前記基の混合物で置換されている炭素原子２〜１８個のアルキルであるか；あるいはＲ507は、炭素原子３〜１８個のアルケニル、炭素原子５〜１２個のシクロアルキル、又は炭素原子１〜４個のアルキルで置換されているか、若しくは−Ｏ−で中断されている前記シクロアルキルであるか；あるいはＲ507は、フェニル又は炭素原子７〜１５個のフェニルアルキルであり；そして
Ｒ508は、炭素原子１〜１２個のアルキル又は炭素原子３〜１２個のシクロアルキルである）
で示されるピペラジノン化合物である、請求項１記載の組成物。
【請求項７】
モルホリノン化合物が、
（ａ−１００）５−ヒドロキシメチル−３，３，５−トリメチル−２−モルホリノン、
（ｂ−１００）５−ドデカノイルオキシメチル−３，３，５−トリメチル−２−モルホリノン、
（ｃ−１００）５−（２−エチルヘキサノイルオキシメチル）−３，３，５−トリメチル−２−モルホリノン、
（ｄ−１００）５，５′−ビス（デカンジオイルオキシメチル−３，３，５−トリメチル−２−モルホリノン）、
（ｅ−１００）Ｎ−（２，２，６，６−テトラメチルピペリジン−４−イル）テトラヒドロ−１，４−オキサジン−２−オン、
（ｆ−１００）Ｎ−（１，２，２，６，６−ペンタメチルピペリジン−４−イル）テトラヒドロ−６−メチル−１，４−オキサジン−２−オン、
（ｇ−１００）Ｎ−（１−アセチル−２，２，６，６−テトラメチルピペリジン−４−イル）−３−ｎ−テトラデシル−テトラヒドロ−１，４−オキサジン−２−オン、
（ｈ−１００）３，３−ペンタメチレン−５，５−ジメチル−２−モルホリノン、
（ｉ−１００）３，３，４−トリメチル−５−エチル−５−ヒドロキシメチル−２−モルホリノン、
（ｊ−１００）３，３，５，５−テトラメチル−４−オキシル−２−モルホリノン、
（ｋ−１００）３，３−ジエチル−５，５−ジメチル−４−ヒドロキシ−２−モルホリノン、
（ｌ−１００）３，３，５，５−テトラメチル−４−（α−メチルベンジル）−２−モルホリノン、
（ｍ−１００）３，３，５，５−テトラメチル−４−（α−メチルベンジルオキシ）−２−モルホリノン、
（ｎ−１００）Ｎ−（２−ヒドロキシエチル）−３，３，５，５−テトラメチル−２−モルホリノン、
（ｏ−１００）３，３，４，５−テトラメチル−５−（オクタデカノイルオキシメチル）−２−モルホリノン、又は
（ｐ−１００）ビス（３，３，４，５−テトラメチル−２−モルホリノン−５−イルメチル）テレフタラートであり、
オキサゾリジン化合物が、
（ａ−２００）３，３−ジメチル−１−オキサ−４−アザスピロ〔４．５〕デカン、
（ｂ−２００）２，２，４，４−テトラメチル−１，３−オキサゾリジン、
（ｃ−２００）２，２，１１，１１−テトラメチル−３，９−ジオキサ−ジスピロ〔４．２．４．２〕テトラデカン、
（ｄ−２００）３，３−ジメチル−１−オキサ−４−オキシル−４−アザスピロ〔４．５〕デカン、
（ｅ−２００）３，３−ジメチル−１−オキサ−４−ヒドロキシ−４−アザスピロ〔４．５〕デカン、
（ｆ−２００）３，３−ジメチロール−１−オキサ−４−アザスピロ〔４．５〕デカン、
（ｇ−２００）２，３，３−トリメチル−１−オキサ−４−アザスピロ〔４．５〕デカン、
（ｈ−２００）３，３−ジ（２−ヒドロキシエチル）−１−オキサ−４−アザスピロ〔４．５〕デカン、
（ｉ−２００）４−エチル−２−イソプロピルオキサゾリジン、
（ｊ−２００）１−アザ−３，７−ジオキサ−２，８−ジイソプロピル−５−エチルビシクロ〔３．３．０〕オクタン、
（ｋ−２００）３−アセチル−４，４−ジメチル−２−（３−アミル）オキサゾリジン、
（ｌ−２００）３−アセチル−４−エチル−２−フェニルオキサゾリジン、
（ｍ−２００）Ｎ−（２−ヒドロキシエチル）−２，２′−ジエチル−４，４′−ジメエチル−１，３−オキサゾリジン、
（ｎ−２００）１−アザ−３，７−ジオキサ−２，８−ジフェニル−５−メチロールビシクロ〔３．３．０〕オクタン、又は
（ｏ−２００）１−アザ−３，７−ジオキサ−２，８−ジ−ｎ−プロピル−５−メチロールビシクロ〔３．３．０〕オクタンであり、
イミダゾリン化合物が、
（ａ−３００）２，２−ペンタメチレン−５，５−ペンタメチレン−イミダゾリジン−４−オン、
（ｂ−３００）２，２−ペンタメチレン−５，５−ペンタメチレン−イミダゾリジン−４−オン−１−オキシル、
（ｃ−３００）２，２，５，５−テトラメチル−４−オキソイミダゾリン−１−オキシル、
（ｄ−３００）２，５−ジメチル−２，５−ジイソブチル−４−オキソイミダゾリン−１−オキシル、
（ｅ−３００）（２，２，６，６−テトラメチルピペリジン−１−オキシル）−４−スピロ−２′−（４−オキソイミダゾリン−１−オキシル）−５′−スピロ−４−（２，２，６，６−テトラメチルピペリジン−１−オキシル）、
（ｆ−３００）２，５−ジメチル−２，５−ジエチル−４−オキソイミダゾリン−１−オキシル、
（ｇ−３００）２，２−〔（１−メチル）−１，５−ペンタンジイル〕−５，５−〔（１−メチル）−１，５−ペンタンジイル〕イミダゾリジン−４−オン−１−オキシル、
（ｈ−３００）２，２，５，５−テトラメチル−１−（２−ヒドロキシエチル）イミダゾリン−４−オン、
（ｊ−３００）ビス〔２−（２，２，５，５−テトラメチル−４−オキソ−イミダゾリン−１−イル）エチル〕セバカート、
（ｊ−３００）２，２，５，５−テトラメチル−１−メチル−３−（２−ヒドロキシエチル）イミダゾリン−４−オン、
（ｋ−３００）２，２，５，５−テトラメチル−１−メチル−３−〔Ｈ（ＯＣＨ2ＣＨ2）x〕イミダゾリン−４−オン（ここで、ｘは２〜２１である）、
（ｌ−３００）２，２，５，５−テトラメチル−１−メチル−３−〔ヘプタデシルカルボニル（ＯＣＨ2ＣＨ2）x〕イミダゾリン−４−オン（ここで、ｘは２〜２１である）、
（ｍ−３００）２，２，５，５−テトラメチル−１−メチル−３−〔４−ヒドロキシ−３，５−ジ−tert−ブチルベンゾイル（ＯＣＨ2ＣＨ2）x〕イミダゾリン−４−オン（ここで、ｘは２〜２１である）、
（ｎ−３００）２，２，５，５−テトラメチル−１−メチル−３−〔２−（ヘプタデシルカルボニルオキシエチル）〕イミダゾリン−４−オン、
（ｏ−３００）２，２，５，５−テトラメチル−３−メチル−１−〔２−（ヘプタデシルカルボニルオキシエチル）〕イミダゾリン−４−オン、
（ｐ−３００）１：１のメタクリル酸メチルとアクリル酸エチルのコポリマーと３−ヒドロキシエチル−２，２，５，５−テトラメチルイミダゾリジン−４−オンとのエステル交換反応生成物、又は
（ｑ−３００）２：１のメタクリル酸メチルとアクリル酸エチルのコポリマーと３−ヒドロキシエチル−２，２，５，５−テトラメチルイミダゾリジン−４−オンとのエステル交換反応生成物であり、
ピペラジンジオン化合物が、
（ａ−４００）４−（３，５−ジメチル−４−ヒドロキシベンジル）−２，２，６，６−テトラメチル−３，５−ジケトピペラジン、
（ｂ−４００）１５−ｎ−オクタデシル−７，１５−ジアザジスピロ〔５．１．５．３〕ヘキサデカン−１４，１６−ジオン、
（ｃ−４００）１５−ベンジル−７，１５−ジアザジスピロ〔５．１．５．３〕ヘキサデカン−１４，１６−ジオン、
（ｄ−４００）４−ｎ−オクタデシル−２，２，６，６−テトラメチル−３，５−ジケトピペラジン、
（ｅ−４００）４，４′−ｎ−オクタメチレン−ビス（２，２，６，６−テトラメチル−３，５−ジケトピペラジン、
（ｆ−４００）１５−ｎ−オクタデシル−１，９−ジメチル−７，１５−ジアザジスピロ〔５．１．５．３〕ヘキサデカン−１４，１６−ジオン、
（ｇ−４００）３，３，５，５−テトラメチル−４−オクチルオキシ−１−（４−ヒドロキシ−３，５−ジ−tert−ブチルベンジルピペラジン−２，６−ジオン、
（ｈ−４００）３，３，５，５−テトラメチル−４−アセチル−１−（４−ヒドロキシ−３，５−ジ−tert−ブチルベンジルピペラジン−２，６−ジオン、
（ｉ−４００）テトラメチレンビス〔４−（３，３，４，５，５−ペンタメチルピペラジン−２，６−ジオン−１−イル）ブチラート〕
（ｊ−４００）３，３，５，５−テトラメチル−４−ヒドロキシ−１−オクチルピペラジン−２，６−ジオン、
（ｋ−４００）１，３，３，５，５−ペンタメチル−４−オキシルピペラジン−２，６−ジオン、又は
（ｌ−４００）３，３，４，５，５−ペンタメチル−１−（エトキシカルボニルメチル）ピペラジン−２，６−ジオンであり、そして
ピペラジノン化合物が、
（ａ−５００）１，３，５−トリス｛Ｎ−シクロヘキシル−Ｎ−〔２−（２，２，６，６−テトラメチルピペラジン−３−オン−４−イル）エチル〕アミノ｝−ｓ−トリアジン、
（ｂ−５００）１，３，５−トリス｛Ｎ−シクロヘキシル−Ｎ−〔２−（１，２，２，６，６−ペンタメチルピペラジン−３−オン−４−イル）エチル〕アミノ｝−ｓ−トリアジン、
（ｃ−５００）１，２−エタン−ビス（３，３，５，５−テトラメチルピペラジン−２−オン−１−イル）、
（ｄ−５００）７−メチル−７，１５−ジアザジスピロ〔５．１．５．３〕ヘキサデカン−１４−オン、
（ｅ−５００）１，３，３，５，５−ペンタメチル−４−（２−ヒドロキシエチル）−２−ケトピペラジン、
（ｆ−５００）３，３，５，５−テトラメチル−４−オクチルオキシ−１−オクチル−２−ケトピペラジン、
（ｇ−５００）１，３，３，５，５−ペンタメチル−４−オキシル−２−ケトピペラジン、
（ｈ−５００）３，３，４，５，５−ペンタメチル−１−（２−ヒドロキシエチル）ピペラジン−２−オン、
（ｉ−５００）３，３，５，５−テトラメチル−４−シクロヘキシルオキシ−１−〔２−（ドデカノイルオキシ）エチル〕ピペラジン−２−オン、
（ｊ−５００）ビス〔２−（４−シクロヘキシルオキシ−３，３，５，５−テトラメチル−２−ケトピペラジン−１−イル）エチル〕セバカート、又は
（ｋ−５００）４−オクチルオキシ−３，３，５，５−テトラメチル−１−オクタデシルピペラジン−２−オンである、請求項１記載の組成物。
【請求項８】
成分（ii）のＵＶ吸収剤が、ベンゾトリアゾール、ベンゾフェノン、α−シアノアクリラート、オキサニリド、ｓ−トリアジン、シンナマート、マロナート、ベンゾアート若しくはサリチラート又はこれらの混合物である、請求項１記載の組成物。
【請求項９】
酸化防止剤が、フェノール系酸化防止剤、ホスファイト、ニトロン、アミンオキシド若しくはヒドロキシルアミン又はこれらの混合物である、請求項１記載の組成物。